(57)【要約】      （修正有）【課題】運転手が、荷物を各目的地に運ぶために昼夜に懸けて頑張って走っているのを、無理して大事故に成らない為に、居眠り防止装置を提供する。【解決手段】小型のデジタル式時計になっており、車の運転手の近く設置して、夜間用運転スイッチ３、高速道路４時間以内用スイッチ４、高速道路５時間以上スイッチ５、の３つに分かれていて、運転手は各コースによって、スイッチを押すと各コース毎に、異なった異質音にアナウンス録音で居眠り運転の警告を発する。これに拠って長時間の運転手の睡魔を取り除き、居眠り運転の事故を少なくする。【選択図】図１
0003168448.tif 000002
【実用新案登録請求の範囲】
【請求項１】
小型のデジタル式時計になっており、車の運転手の近く設置して、夜間用運転スイッチ、高速道路５時間以内用スイッチ、高速道路５時間以上スイッチ、の３つに分かれていて、各運転手は各コースによって、スイッチを押すと各コース事に、異なった異質音にアナウンス録音で居眠り運転の警告を発する、これに拠って長時間の運転手の睡魔を取り除き、居眠り運転の事故を少なくしようとする、居眠り運転防止装置
【考案の詳細な説明】
【技術分野】
【０００１】  本考案は、運転手の近くに設置し、夜間用、高速５時間以内、高速５時間以上、の３つに分かれている。★夜間用のスイッチを押すと、眠気覚ましに、すぐに
▲１▼ガチャーンガチャーン（異質音）パーポーパーポ（緊急音似）「居眠り運転は大事故の元、気をつけて運転して下さい」とアナウンス、−そして３０分後
▲２▼ガチャーンガチャーン（異質音）パーポーパーポ（緊急音似）「居眠り運転は大事故の元、眠気が来たら、休憩して下さい」とアナウンス、−そして３０分後
▲３▼ガチャーンガチャーン（異質音）パーポーパーポ（緊急音似）「居眠り運転は大事あなたの命も危険です」とアナウンス、−そして３０分後
▲４▼ガチャーンガチャーン（異質音）パーポーパーポ（緊急音似）「居眠り運転は大事故のもと、自分の命。他人の命も巻き込む危険運転です」とアナウンス、これら▲１▼〜▲４▼段階で居眠り運転を警告していく、
★高速道路４時間以内のスイッチを押すと、３０分後に
▲１▼ガチャーンガチャーン（異質音）パーポーパーポ（緊急音似）「居眠り運転は大事故の元、気をつけて運転して下さい」とアナウンス、−そして３０分後
▲２▼〜３０分後▲３▼〜３０分後▲４▼段階で居眠り運転を警告していく
★高速道路５時間以上のスイッチを押すと、１時間後に
▲１▼ガチャーンガチャーン（異質音）パーポーパーポ（緊急音似）「居眠り運転は大事故の元、気をつけて運転して下さい」とアナウンス、−１時間後
▲２▼〜１時間後▲３▼〜１時間後▲４▼段階で居眠り運転を警告していく、
これら３つのスイッチを、各運転手が、自分の運転コースに当てはめて、運転して行けば、居眠り運転の事故は減少していくと思います。
【背景技術】
【０００２】  高速道路の前方不注意でブレーキ跡の無い大事故など、ほとんどが居眠り運転の事故だと思います。前方不注意なら、少しでも急ブレーキ跡が付く筈です。それに居眠り運転と言えば罰則が重いし、会社にも迷惑がかかる、前方不注意のほうが罰則は軽い、又夜間運転、長距離運転、盆正月帰省運転など、これら疲れて運転して大事故になっているのも、ほとんどが居眠り運転であると思われる、これらの対策に、ラジオの音を大きくする、ガムを噛む、眠気ざましのドリンクを飲む、色々あるが、中々居眠り運転事故は減少しない、私が運転中に睡魔が来た時に、ガードレールに擦った。その時の音と、自分自身の「もし大事故になっていたら」と思った一瞬、ゾッとした気持ちで睡魔が飛んで行った。睡魔が来る前に、警告があれば、車を横に止めて休憩を取るか？何か方法があっただろう。
【考案開示】
【考案が解決しようとす課題】
【０００３】  車を運転していれば、長距離でも近くでも、早く着こう、早く帰ろうと思う気持ちで、ちょっと無理をする。そんな時に居眠り運転防止装置の▲１▼段階〜▲４▼段階を聞いて、居眠り運転の危険性を再確認して、少しでも事故が無くなれば良いと思います。
【課題を解決するための手段】
【０００４】  運転席の近くに設置して、夜間運転の運転手はすぐに、★夜間用のスイッチを押すとすぐに▲１▼ガチャーンガチャーン（異質音）パーポーパーポ（緊急音似）「居眠り運転は大事故の元、気をつけて運転して下さい」とアナウンス、−それで目を覚まして運転して下さい〜３０分後▲２▼〜３０分後▲３▼〜３０分後▲４▼
車が高速道路を３時間位走る車は、高速道路に入って、★高速４時間以内のスイッチを押すと、〜３０分後に▲▼ガチャーンガチャーン（異質音）パーポーパーポ（緊急音似）「居眠り運転は大事故の元、気をつけて運転して下さい」とアナウンス、〜３０分後▲２▼〜３０分後▲３▼〜３０分後▲４▼
車が高速道路を６時間位走る車は、高速道路に入って、★高速５時間以上のスイッチを押すと、〜１時間後にガチャーンガチャーン（異質音）パーポーパーポ（緊急音似）「居眠り運転は大事故の元、気をつけて運転して下さい」とアナウンス、〜１時間後▲２▼〜１時間後▲３▼〜１時間後▲４▼
各運転手が車の各コースによって、スイッチを押し分けて下さい。
例えば、夜間運転では、外は暗いので、眠気覚ましでスイッチを押すと▲１▼がすぐに出てくるようにした。しかし高速道路では、ほとんど高速道路に入って、高速なれしてから、睡魔がくるようである。ので３０分後あるいは１時間後とした。
【考案の効果】
【０００５】  長く車を運転していれば、誰でも、ラジオは聴いていてもマンネリなパターンで、ガムを噛んでいても最初の５分ぐらいは、効果はあっても１０分２０分噛んでいれば、効果がなくなる、疲れていなくても睡魔が来る時もある、２時間位運転したら休憩すれば良いのだが、つい無理をしたりする、私も睡魔が来てもうちょっと、あと２０〜３０分と思った所で、高速道路のガードレールに擦ってガチャーンと云う異質音で、睡魔が一遍に吹っ飛んだ。そこで３０分置きに異質音を入れて、▲１▼〜▲４▼の録音も入れれば、居眠り運転は危険と再確認をしてもらえれば、少しでも事故が減るのではないでしょうか。
【考案を実施するための最良の形態】
【０００６】  高速道路を走る車、前車に居眠り運転防止装置を付ければ、大事故は少なくなるでしよう。例えば、車の内部に設置する方法とか、高速道路専用のＥＴＣ（商標登録）に設置するとか、デジタルタコグラフ（商標登録）に設置するとか、ラジオで放送するとか、方法は色々ありますが、ちょっっとでも居眠り運転防止装置で大事故が少なくなれば良い事です。
【図面の簡単な説明】
【０００７】
【図１】本考案の居眠り運転防止装置本体の正面図
【図２】居眠り運転防止装置の横断面図
【符号の説明】
【０００８】１  居眠り運転防止装置本体
２  デジタル時計画面
３  夜間用スイッチ
４  高速４時間以内スイッチ
５  高速５時間以上スイッチ
６  ストップスイッチ
７  スタートスイッチ
８  電池入れカバー
９  単三電池
１０  磁石
１１  スピーカ
１２  電池ケース
１３  内部本体
【図１】
0003168448.tif 000003
【図２】
0003168448.tif 000004
【手続補正書】
【提出日】平成22年12月22日(2010.12.22)
【手続補正１】
【補正対象書類名】実用新案登録請求の範囲
【補正対象項目名】全文
【補正方法】変更
【補正の内容】
【実用新案登録請求の範囲】
【請求項１】
小型デジタル時計で、運転席の近くに置いて、居眠り運転の警告を発する物で、夜間用、中距離、長距離運転に合わせて、３種類のスイッチ備えた、居眠り運転防止装置。
【手続補正書】
【提出日】平成23年3月10日(2011.3.10)
【手続補正１】
【補正対象書類名】実用新案登録請求の範囲
【補正対象項目名】全文
【補正方法】変更
【補正の内容】
【実用新案登録請求の範囲】
【請求項１】
小型デジタル時計で、運転席の近くに置く物で、夜間用、中距離、長距離運転に合わせて、居眠り運転の警告を発する為の、３種類のスイッチを備えた居眠り運転防止装置。